(57)【要約】      （修正有）【課題】小型なリアクトルや磁気飽和し難いリアクトル、及びリアクトル用磁性コアを提供する。【解決手段】巻線２ｗが巻回されてなる二つの巻回部２ａ、２ｂを含むコイル２Ａと、各巻回部が配置される磁性コア３とを備える。磁性コア３は、各巻回部の内周に配置される内側脚部３ａ、３ｂと、両巻回部間に介在される中央脚部３１と、両巻回部の外周から両内側脚部及び中央脚部３１を挟む二つの外側脚部３２、３３と、並列される両内側脚部３ａ、３ｂ、中央脚部３１、両外側脚部３２、３３を挟み、これらを連結する二つの連結部３４、３５とを備える。【選択図】図１
2018049948.tif 000002
【特許請求の範囲】
【請求項１】
巻線が巻回されてなる二つの巻回部を含むコイルと、
各巻回部が配置される磁性コアとを備え、
前記磁性コアは、
前記各巻回部の内周に配置される内側脚部と、
両巻回部間に介在される中央脚部と、
前記両巻回部の外周から両内側脚部及び前記中央脚部を挟む二つの外側脚部と、
並列される前記両内側脚部、前記中央脚部、両外側脚部を挟み、これらを連結する二つの連結部とを備えるリアクトル。
【請求項２】
前記磁性コアは、磁性粉末と樹脂とを含む複合材料の成形体、及び圧粉成形体の少なくとも一方を含む請求項１に記載のリアクトル。
【請求項３】
前記各巻回部は、異なる巻線から構成され、
前記コイルは、両巻線の端部を電気的に接続する接続部を備える請求項１又は請求項２に記載のリアクトル。
【請求項４】
前記両巻回部は、前記各巻回部を貫通する磁束の向きが同じになるように接続される請求項１から請求項３のいずれか１項に記載のリアクトル。
【請求項５】
磁性コアは、一対の分割コア片を組み合わせて構成され、
各分割コア片は、一方の前記連結部と、前記連結部から立設され、各内側脚部の一部を形成する二つの内脚片及び前記中央脚部の一部を形成する中央脚片並びに各外側脚部の一部を形成する二つの外脚片とを備える請求項１から請求項４のいずれか１項に記載のリアクトル。
【請求項６】
巻線が巻回されてなる二つの巻回部を含むコイルが組み付けられるリアクトル用磁性コアであって、
各巻回部の内周に配置される内側脚部と、
各内側脚部と離間して配置されると共に、両内側脚部間に介在される中央脚部と、
各内側脚部と離間して配置されると共に、前記両内側脚部及び前記中央脚部を挟む二つの外側脚部と、
並列される前記両内側脚部、前記中央脚部、両外側脚部を挟み、これらを連結する二つの連結部とを備えるリアクトル用磁性コア。
【発明の詳細な説明】
【技術分野】
【０００１】
本発明は、リアクトル、及びリアクトル用磁性コアに関するものである。
【背景技術】
【０００２】
電圧の昇圧動作や降圧動作を行う回路の部品の一つに、リアクトルがある。特許文献１は、車載コンバータ用のリアクトルとして、形状が異なる二つのものを開示する。
【０００３】
一方のリアクトル１αは、巻線を螺旋状に巻回してなる二つの筒状の巻回部を備えるコイルと、一対のＵ字状の分割コアを組み合わせてＯ字状に構成される磁性コアとを備える（特許文献１の図１，図２）。両巻回部は、コイルに通電した際に各巻回部を貫通する磁束の向きが逆になるように接続されている。
【０００４】
他方のリアクトル１βは、巻線を螺旋状に巻回してなる一つの筒状の巻回部を備えるコイルと、一対のＥ字状の分割コアを組み合わせてなる磁性コアとを備える（特許文献１の図４，図５）。この磁性コア（以下、ＥＥコアと呼ぶことがある）は、巻回部の内周に配置される中脚（内側コア部３１）と、巻回部の外周に配置されて中脚を挟む一対の側脚と、中脚及び両側脚を挟み、これらを連結する二つの連結部とを備える。
【先行技術文献】
【特許文献】
【０００５】
【特許文献１】特開２０１６−１２２７６０号公報
【発明の概要】
【発明が解決しようとする課題】
【０００６】
リアクトルには、小型であることや、磁気飽和し難いことが望まれる。また、このようなリアクトルを構築できる磁性コアが望まれる。
【０００７】
上述のリアクトル１αでは、コイルへの通電電流が大きくなると磁気飽和し易くなる。磁気飽和によってインダクタンスが低下すると、所定のインダクタンスを確保できない可能性がある。車載用途では、更なる大電流化が望まれており、使用電流値がより大きい場合でも、磁気飽和し難く、磁気飽和に起因するインダクタンスの低下を低減し易いリアクトルが望まれる。
【０００８】
上述のリアクトル１βでは、所定のインダクタンスを確保するために巻回部のターン数が多くなると、設置面積が大きくなったり、リアクトルを取り付ける設置対象の載置面からの高さ（以下、設置高さと呼ぶことがある）が大きくなったりする。例えば、上記載置面に対してコイルの軸方向が平行するようにリアクトルを配置すると（特許文献１の図４、以下、この配置形態を横置き形態と呼ぶことがある）、設置面積が大きくなり易い。又は、例えば、上記載置面に対して、コイルの軸方向が直交するようにリアクトルを配置すると（以下、この配置形態を縦置き形態と呼ぶことがある）、設置高さが大きくなり易い。これらの点から、いずれの場合も大型になり易い。従って、巻回部のターン数が多くても小型なリアクトルが望まれる。
【０００９】
そこで、小型なリアクトルや磁気飽和し難いリアクトルを提供することを目的の一つとする。また、小型なリアクトルや磁気飽和し難いリアクトルなどを構築できるリアクトル用磁性コアを提供することを別の目的の一つとする。
【課題を解決するための手段】
【００１０】
本発明の一態様に係るリアクトルは、
巻線が巻回されてなる二つの巻回部を含むコイルと、
各巻回部が配置される磁性コアとを備え、
前記磁性コアは、
前記各巻回部の内周に配置される内側脚部と、
両巻回部間に介在される中央脚部と、
前記両巻回部の外周から両内側脚部及び前記中央脚部を挟む二つの外側脚部と、
並列される前記両内側脚部、前記中央脚部、両外側脚部を挟み、これらを連結する二つの連結部とを備える。
【００１１】
本発明の一態様に係るリアクトル用磁性コアは、
巻線が巻回されてなる二つの巻回部を含むコイルが組み付けられるリアクトル用磁性コアであって、
各巻回部の内周に配置される内側脚部と、
各内側脚部と離間して配置されると共に、両内側脚部間に介在される中央脚部と、
各内側脚部と離間して配置されると共に、前記両内側脚部及び前記中央脚部を挟む二つの外側脚部と、
並列される前記両内側脚部、前記中央脚部、両外側脚部を挟み、これらを連結する二つの連結部とを備える。
【発明の効果】
【００１２】
上記のリアクトルは、小型であったり、磁気飽和し難かったりする。上記のリアクトル用磁性コアは、小型なリアクトルや磁気飽和し難いリアクトルなどを構築できる。
【図面の簡単な説明】
【００１３】
【図１】実施形態１のリアクトルを示す概略斜視図である。
【図２】実施形態１のリアクトルに備えるコイルと分割コア片とを巻回部の軸方向からみた平面図である。
【図３】実施形態１のリアクトルを示す正面図である。
【図４】実施形態１のリアクトルを示す概略分解斜視図である。
【図５】実施形態２のリアクトルを示す概略斜視図である。
【図６】実施形態３のリアクトルを示す概略斜視図である。
【発明を実施するための形態】
【００１４】
［本発明の実施の形態の説明］
最初に本発明の実施形態を列記して説明する。
（１）本発明の一態様に係るリアクトルは、
巻線が巻回されてなる二つの巻回部を含むコイルと、
各巻回部が配置される磁性コアとを備え、
前記磁性コアは、
前記各巻回部の内周に配置される内側脚部と、
両巻回部間に介在される中央脚部と、
前記両巻回部の外周から両内側脚部及び前記中央脚部を挟む二つの外側脚部と、
並列される前記両内側脚部、前記中央脚部、両外側脚部を挟み、これらを連結する二つの連結部とを備える。
【００１５】
上記のリアクトルは、小型であったり、磁気飽和し難かったりする。詳しくは以下の通りである。
【００１６】
上記のリアクトルに備えるコイルが以下の逆磁束コイルであれば、コイルに通電した際に、各巻回部から中央脚部に流れる磁束を互いに打ち消し合うことができる。ここでの逆磁束コイルとは、上述の特定の磁性コアに組み付けられた状態でコイルに通電した際に、各巻回部を貫通する磁束の向きが実質的に逆になるように両巻回部が設けられるものをいう。つまり、逆磁束コイルは、両巻回部の配置状態が並列であり、各巻回部を貫通する磁束の向きが逆方向である。上述の磁束の打ち消し合いによって、上記のリアクトルは、使用電流値が大きい場合でも、上述のＯ字状の磁性コアを備えるリアクトル１αに比較して磁気飽和し難い。従って、上記のリアクトルは、磁気飽和に起因するインダクタンスの低下を低減し易く、直流重畳特性に優れる。
【００１７】
上記のリアクトルに備えるコイルが以下の順磁束コイルであれば、各巻回部を、代表的には、総ターン数を二分したターン数を有するものとすることができる。ここでの順磁束コイルとは、上述の特定の磁性コアに組み付けられた状態でコイルに通電した際に、各巻回部を貫通する磁束の向きが実質的に同じになるように両巻回部が設けられるものをいう。つまり、順磁束コイルは、両巻回部の配置状態が並列であり、各巻回部を貫通する磁束の向きが順方向である。この順磁束コイルに備える各巻回部におけるその軸方向に沿った長さ（以下、軸長さと呼ぶことがある）は、総ターン数が同じである一つの巻回部の軸長さよりも短く、半分程度である。このような軸長さが短いコイルに対応して、磁性コアも小型にできる。そのため、上記のリアクトルは、横置き形態であれば設置面積を小さくし易く、縦置き形態であれば設置高さを小さくし易い。従って、上記のリアクトルは、小型である。更に、上記のリアクトルは、各巻回部からの磁束が外側脚部に加えて中央脚部にも流れることができるため、漏れ磁束を低減できて低損失である。
【００１８】
（２）上記のリアクトルの一例として、
前記磁性コアは、磁性粉末と樹脂とを含む複合材料の成形体、及び圧粉成形体の少なくとも一方を含む形態が挙げられる。
【００１９】
上記形態は、磁性コアを、複合材料の成形体から構成される一体成形物や、複合材料の成形体及び圧粉成形体の少なくとも一方から構成される複数の分割コア片の組物とすることができ、磁性コアを構成する材料の選択の自由度が高い。組物とすると、コイルと磁性コアとを組み付け易く、製造性にも優れる。
【００２０】
（３）上記のリアクトルの一例として、
前記各巻回部は、異なる巻線から構成され、
前記コイルは、両巻線の端部を電気的に接続する接続部を備える形態が挙げられる。
【００２１】
上記形態は、各巻回部を別々に形成した後、両巻線を接続することでコイルを製造でき、巻回部を形成し易い。従って、上記形態は、小型であったり、磁気飽和し難かったりする上に、コイルの製造性に優れる。
【００２２】
（４）上記のリアクトルの一例として、
前記両巻回部は、前記各巻回部を貫通する磁束の向きが同じになるように接続される形態が挙げられる。
【００２３】
上記形態は、上述の順磁束コイルを備えるため、上述のように縦置き形態では設置高さを低くできるなど小型である上に、低損失である。
【００２４】
（５）上記のリアクトルの一例として、
磁性コアは、一対の分割コア片を組み合わせて構成され、
各分割コア片は、一方の前記連結部と、前記連結部から立設され、各内側脚部の一部を形成する二つの内脚片及び前記中央脚部の一部を形成する中央脚片並びに各外側脚部の一部を形成する二つの外脚片とを備える形態が挙げられる。
【００２５】
上記形態は、コイルと磁性コアとを組み付け易く、組付部品点数も少ない。従って、上記形態は、小型であったり、磁気飽和し難かったりする上に、製造性にも優れる。
【００２６】
（６）本発明の一態様に係るリアクトル用磁性コアは、
巻線が巻回されてなる二つの巻回部を含むコイルが組み付けられるリアクトル用磁性コアであって、
各巻回部の内周に配置される内側脚部と、
各内側脚部と離間して配置されると共に、両内側脚部間に介在される中央脚部と、
各内側脚部と離間して配置されると共に、前記両内側脚部及び前記中央脚部を挟む二つの外側脚部と、
並列される前記両内側脚部、前記中央脚部、両外側脚部を挟み、これらを連結する二つの連結部とを備える。
【００２７】
上記のリアクトル用磁性コアによれば、小型なリアクトルや磁気飽和し難いリアクトルを構築できる。詳しくは以下の通りである。
【００２８】
上記のリアクトル用磁性コアに組み付けられるコイルが上述の逆磁束コイルである場合、各巻回部からの磁束を中央脚部で互いに打ち消し合うことができる。そのため、上記のリアクトル用磁性コアを備えるリアクトルは、使用電流値が大きい場合でも、上述のＯ字状の磁性コアを備えるリアクトル１αに比較して磁気飽和し難い。従って、上記のリアクトル用磁性コアよれば、磁気飽和に起因するインダクタンスの低下を低減し易く、直流重畳特性に優れるリアクトルを構築できる。
【００２９】
上記のリアクトル用磁性コアに組み付けられるコイルが上述の順磁束コイルである場合、上述のように各巻回部の軸長さが比較的短いことに対応して、内側脚部を短くできる。この内側脚部に対応して、中央脚部及び外側脚部も短くできる。このような上記のリアクトル用磁性コアを横置き形態のリアクトルに利用すれば、設置面積を小さくし易く、縦置き形態のリアクトルに利用すれば、設置高さを小さくし易い。従って、上記のリアクトル用磁性コアは、小型なリアクトルを構築できる。更に、上記のリアクトル用磁性コアは、中央脚部によって漏れ磁束を低減できるため、低損失なリアクトルを構築できる。
【００３０】
［本発明の実施形態の詳細］
以下、図面を参照して、本発明の実施形態を具体的に説明する。図中の同一符号は同一名称物を示す。以下、図面に示すリアクトルについて、その下面を設置対象の載置面に配置される設置面とする場合を説明する。また、図面に示すリアクトルにおいて、磁性コアに備える脚部の並び方向（例、図２，図３では左右方向）を幅方向、脚部の軸方向（例、図３では上下方向）を高さ方向、幅方向及び高さ方向の双方に直交する方向を長さ方向（例、図２では上下方向）と呼ぶことがある。
【００３１】
［実施形態１］
図１から図４を参照して、実施形態１のリアクトル１Ａ，実施形態の磁性コア３を説明する。図２は、図１に示すコイル２Ａを巻回部２ａ，２ｂの軸方向に直交する平面で切断した状態を示す。図３は、図１に示すリアクトル１Ａについてコイル２Ａの接続部２ｊＡが配置された側を、巻回部２ａ，２ｂの並び方向（図３では左右方向）に直交する方向からみた正面図である。
【００３２】
（リアクトル）
＜概要＞
実施形態１のリアクトル１Ａは、図１に示すように巻線２ｗが巻回されてなる二つの巻回部２ａ，２ｂを含むコイル２Ａと、各巻回部２ａ，２ｂが配置される磁性コア３とを備える。実施形態の磁性コア３は特定の形状であり、端的にいうと、上述したＥＥコアに対して、中脚の両側に、この中脚を挟むように二つの磁脚を備える。磁性コア３は、互いに離間して並列に配置される五つの磁脚（内側脚部３ａ，３ｂ、中央脚部３１、外側脚部３２，３３、図２も参照）と、これらを挟み、これらを連結する二つの連結部３４，３５とを備える。この例の磁性コア３は、複数の分割コア片３α，３βの組物である（図４）。この例のリアクトル１Ａは、コンバータケースなどの設置対象（図示せず）の載置面に対して、巻回部２ａ，２ｂの軸方向（又は内側脚部３ａ，３ｂの軸方向）が直交するように設置される縦置き形態で使用される。また、この例のリアクトル１Ａは、コイル２Ａとして、両巻回部２ａ，２ｂが、各巻回部２ａ，２ｂを貫通する磁束の向きが同じになるように接続される上述の順磁束コイルを備える。以下、構成要素ごとに詳細に説明する。
【００３３】
（コイル）
＜概要＞
コイル２Ａは、図４に示すように１本の巻線２ｗが螺旋状に巻回されてなる筒状の巻回部２ａ，２ｂと、巻線２ｗにおける両巻回部２ａ，２ｂ間に配置される部分から構成され、両巻回部２ａ，２ｂを電気的に接続する接続部２ｊＡとを備える。両巻回部２ａ，２ｂは、各軸が平行するように所定の間隔（ここでは、中央脚部３１の幅Ｗ３１（図２）以上）をあけて横並びされる。
【００３４】
＜巻線＞
この例の巻線２ｗは、銅などからなる導体線と、導体線の外周を覆うポリアミドイミドなどの絶縁材料からなる絶縁被覆とを備える被覆線であり、横断面形状が長方形状である平角線である。この例の巻回部２ａ，２ｂは、エッジワイズコイルである。巻線２ｗを丸線などの種々の形状の線材とすることができる。本例のように平角線のエッジワイズコイルとすると、丸線コイルに比較して、占積率を高めて小型化し易い（特に軸長さを短くし易い）上に、縦置き形態では、（１）巻線２ｗの厚さを薄くすることで、コイル２の設置高さを低くし易い、（２）コイル２Ａの端面（図４では上面及び下面）を概ね平坦な面状にし易い、といった利点を有する。
【００３５】
＜巻回部＞
この例の巻回部２ａ，２ｂは、同一形状であり、端面形状が角部を丸めた長方形状である四角筒状である。巻回部２ａ，２ｂの形状は適宜選択でき、例えば円筒状などとすることができる。また、この例の巻回部２ａ，２ｂは、巻回方向及びターン数が同じであり、コイル２Ａに通電された際に各巻回部２ａ，２ｂを貫通する磁束の向きが同じになるように接続部２ｊＡによって接続される。このようなコイル２Ａは、総ターン数が同じである一つの巻回部を二分して二つの巻回部２ａ，２ｂとして備えるものといえ、総ターン数が同じである一つの巻回部を有するコイル（以下、単一コイルと呼ぶ）よりも軸長さが短い。従って、リアクトル１Ａを縦置きに設置すれば、その設置高さは、単一コイルを備える場合に比較して低い。なお、各巻回部２ａ，２ｂの巻回方向、ターン数は適宜選択できる。この例のように巻回方向が同じであると、巻回部２ａ，２ｂを形成し易く、コイル２Ａの製造性に優れる。この例のようにターン数が同じであると、コイル２Ａの軸長さを最も短くできるため、縦置き形態のリアクトル１Ａの設置高さを低くできる。
【００３６】
＜接続部＞
この例の接続部２ｊＡは、両巻回部２ａ，２ｂをつくる１本の連続する巻線２ｗにおいて、巻回部２ａ，２ｂ間に配置される部分が適宜曲げられて構成される。ここでの接続部２ｊＡは、一方の巻回部２ａにおける下側の端面と、他方の巻回部２ｂにおける上側の端面とを繋ぐように逆Ｊ字状に折り曲げられた部分（二か所のフラットワイズ曲げ部分及び二か所のエッジワイズ曲げ部分）を有する。また、ここでの接続部２ｊＡは、その一部が、図３に示すようにリアクトル１Ａを縦置きに設置した場合に磁性コア３の設置面（ここでは下方の連結部３５の下面）と対向する面（ここでは上方の連結部３４の上面）から突出する大きさとする。接続部２ｊＡの形状、大きさは適宜選択できる（後述する実施形態２，３も参照）。接続部２ｊＡの高さ方向に沿った大きさは、例えば、巻回部２ａ，２ｂの軸長さに応じて調整するとよく、幅方向に沿った大きさは、例えば、中央脚部３１の幅Ｗ３１に応じて調整するとよい。この例のように接続部２ｊＡの一部を磁性コア３から突出させると、コイル２Ａを形成し易く製造性に優れる。コイル２Ａと磁性コア３との組み付け後に、この突出部分を連結部３４の上面に重なるように折り曲げると、縦置き形態のリアクトル１Ａの設置高さをより低くできる。
【００３７】
＜端部＞
各巻回部２ａ，２ｂに連続する巻線２ｗの各端部は、電源などの外部装置との接続箇所に利用される。ここでは、巻線２ｗの各端部は、巻回部２ａ，２ｂから離れるように上方に引き出されて、接続部２ｊＡに横並びされる場合を例示するが、引出方向、引出長さなどは適宜変更できる。
【００３８】
＜その他の構成＞
コイル２Ａは、巻回部２ａ，２ｂの外周の少なくとも一部を覆う樹脂モールド部（図示せず）を備えることができる。樹脂モールド部は、例えば、巻回部２ａ，２ｂの内外の実質的に全体を覆う形態、巻回部２ａ，２ｂの内周面及び外周面並びに端面の少なくとも一部を覆わずに露出させた形態などとすることができる。巻回部２ａ，２ｂにおいて、磁性コア３に覆われない露出箇所（後述）を樹脂モールド部からも露出させると、放熱性を高め易い。樹脂モールド部が、巻回部２ａ，２ｂと磁性コア３間に介在されることで、コイル２Ａと磁性コア３間の電気絶縁性を高められる。なお、樹脂モールド部を備えていない場合でも、巻線２ｗとして上述の被覆線を利用すれば、コイル２Ａと磁性コア３間の電気絶縁性を高められる。
【００３９】
樹脂モールド部の構成材料は、例えば、熱可塑性樹脂、熱硬化性樹脂などの絶縁性樹脂が挙げられる。熱可塑性樹脂は、例えば、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリブチレンテレフタレート（ＰＢＴ）樹脂、アクリロニトリル・ブタジエン・スチレン（ＡＢＳ）樹脂などが挙げられる。熱硬化性樹脂は、例えば、不飽和ポリエステル樹脂、エポキシ樹脂、ウレタン樹脂、シリコーン樹脂などが挙げられる。絶縁性樹脂にアルミナやシリカなどの非磁性かつ非金属粉末を含有することができる。この場合、放熱性や電気絶縁性などを向上できる。
【００４０】
（磁性コア）
＜概要＞
実施形態の磁性コア３は、巻線２ｗが巻回されてなる二つの巻回部２ａ，２ｂを含むコイル２Ａが組み付けられるリアクトル１Ａに用いられる。この磁性コア３は、各巻回部２ａ，２ｂの内周に配置される内側脚部３ａ，３ｂと、両巻回部２ａ，２ｂ間に介在される中央脚部３１と、両内側脚部３ａ，３ｂ及び中央脚部３１を挟む二つの外側脚部３２，３３と、並列される両内側脚部３ａ，３ｂ、中央脚部３１、両外側脚部３２，３３を挟み、これらを連結する二つの連結部３４，３５とを備える。中央脚部３１は、各内側脚部３ａ，３ｂと離間して配置される。各外側脚部３２，３３は、各内側脚部３ａ，３ｂと離間して配置される（図２，図４）。この配置によってできる各部間の隙間を巻回部２ａ，２ｂの配置箇所とする。詳しくは、図２に示すように、中央脚部３１と一方の内側脚部３ａ間の幅Ｗｃの隙間及び一方の内側脚部３ａと一方の外側脚部３２間の幅Ｗｓの隙間を一方の巻回部２ａの配置箇所とする。中央脚部３１と他方の内側脚部３ｂ間の幅Ｗｃの隙間及び他方の内側脚部３ｂと他方の外側脚部３３間の幅Ｗｓの隙間を他方の巻回部２ｂの配置箇所とする。両外側脚部３２，３３は、両巻回部２ａ，２ｂの外周から、内側脚部３ａ、中央脚部３１、内側脚部３ｂという順に並べられた脚部群を挟むように設けられる。
【００４１】
＜構成材料＞
磁性コア３は、磁性粉末と樹脂とを含む複合材料の成形体を備えることができる。磁性粉末の粒子は、軟磁性金属や軟磁性非金属から構成される粒子、軟磁性金属粒子の外周にリン酸塩などで構成される絶縁被覆を備える被覆粒子などが挙げられる。軟磁性金属は純鉄などの鉄族金属や鉄基合金（Ｆｅ−Ｓｉ合金、Ｆｅ−Ｎｉ合金など）など、軟磁性非金属はフェライトなどが挙げられる。
【００４２】
複合材料中の磁性粉末の含有量は、３０体積％以上８０体積％以下、樹脂の含有量は１０体積％以上７０体積％以下が挙げられる。飽和磁束密度や放熱性の向上の観点から、磁性粉末の含有量を５０体積％以上、更に５５体積％以上、６０体積％以上とすることができる。製造過程での流動性の向上の観点から、磁性粉末の含有量を７５体積％以下、更に７０体積％以下とすることができる。
【００４３】
複合材料中の樹脂は、上述の樹脂モールド部の項で説明した熱硬化性樹脂、熱可塑性樹脂、その他、常温硬化性樹脂、低温硬化性樹脂などが挙げられる。不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴムなども利用できる。
【００４４】
磁性粉末及び樹脂に加えて、アルミナやシリカなどの非磁性かつ非金属粉末を含有する複合材料とすることができる。非磁性かつ非金属粉末の含有量は、０．２質量％以上２０質量％以下、更に０．３質量％以上１５質量％以下、０．５質量％以上１０質量％以下が挙げられる。
【００４５】
複合材料の成形体は、射出成形や注型成形などの適宜な成形方法によって製造できる。例えば、適宜な形状の成形型にコイル２Ａを収納して、コイル２Ａの内外に流動状態の複合材料を充填すれば、一体成形された磁性コア３を製造できる。適宜な形状の成形型を利用すれば、複合材料の成形体から構成される分割コア片を製造できる。複合材料の成形体は、複雑な形状であっても容易に成形でき、製造性に優れる。
【００４６】
又は、磁性コア３は、磁性粉末を含む圧粉成形体を備えることができる。圧粉成形体は、代表的には、磁性粉末とバインダーとを含む混合粉末を所定の形状に圧縮成形したもの、更に成形後に熱処理を施したものが挙げられる。バインダーは樹脂などを利用でき、その含有量は３０体積％以下程度が挙げられる。熱処理を施すと、バインダーが消失したり、熱変性物になったりする。適宜な形状の成形型を利用することで、圧粉成形体から構成される分割コア片を製造できる。圧粉成形体は、複合材料の成形体よりも磁性粉末の含有量を高められて、飽和磁束密度が高い磁性コアなどを構築し易い。
【００４７】
又は、磁性コア３は、珪素鋼板などの軟磁性板を積層した積層体、フェライトコアなどの焼結体などを備えることができる。
【００４８】
磁性コア３は、ギャップ材やエアギャップを備えることができる。ギャップ材は、アルミナなどの非磁性材料から構成されるもの、磁性材料と非磁性材料との混合物から構成され、比透磁率が分割コア片などの成形体よりも低いものなどが挙げられる。磁性コア３が複合材料の成形体などを含み、磁気飽和し難い場合にはギャップ材やエアギャップといった磁気ギャップを省略したり、磁気ギャップを少なくしたりできる。この場合、磁気ギャップ部分での漏れ磁束に起因する損失を低減し易く、コイル２Ａと磁性コア３とを近接配置でき、より小型にし易い。
【００４９】
＜成形状態＞
磁性コア３は、一体成形物とすることができる。この場合、上述のように複合材料の成形体とすると容易に製造できる。また、この場合、樹脂モールド部を備えるコイル２Ａなどとすると、コイル２Ａの形状を維持し易い。図２は、一体成形物である磁性コア３を中央脚部３１などの脚部群の軸方向に直交する平面で切断した横断面に類似する。
【００５０】
又は、磁性コア３は、この例のように複数の分割コア片の組物とすると、コイル２Ａと組み付け易く、リアクトル１Ａの製造性に優れる。分割数や各分割コア片の形状、構成材料などは適宜選択できる。この例の磁性コア３は、図４に示すように、一対の分割コア片３α，３βを組み合わせて構成される。一方の分割コア片３αは、一方の連結部３４と、連結部３４から立設され、各内側脚部３ａ，３ｂの一部を形成する二つの内脚片３αａ，３αｂ、及び中央脚部３１の一部を形成する中央脚片３１α、並びに各外側脚部３２，３３の一部を形成する二つの外脚片３２α，３３αとを備える。他方の分割コア片３βは、他方の連結部３５と、連結部３５から立設され、各内側脚部３ａ，３ｂの他部を形成する二つの内脚片３βａ，３βｂ、及び中央脚部３１の他部を形成する中央脚片３１β、並びに各外側脚部３２，３３の他部を形成する二つの外脚片３２β，３３βとを備える。この例では、各分割コア片３α，３βの端面形状（横断面形状も同様）が図２に示すように幅方向の中心線Ｌｗを中心として対称形状であり、かつ長さ方向の中心線Ｌｌを中心として対称形状である。このように分割コア片３α，３αを同一形状、同一の大きさ、かつ対称形状とすると、分割コア片の製造性に優れる。また、この例のように一対の分割コア片３α，３βの組物とすると、組み付け工程が少なく、リアクトル１Ａの組立作業性に優れる。磁性コア３は、異なる材料から構成される分割コア片を含む形態（例えば、複合材料の成形体から構成される分割コア片と圧粉成形体から構成される分割コア片とを含む形態など）、全ての分割コア片が同じ材料から構成される形態のいずれも利用できる。
【００５１】
＜中央脚部、内側脚部、外側脚部、連結部＞
この例の内側脚部３ａ，３ｂは、図１，図２，図４に示すように、同一形状、同一の大きさである。また、この例の内側脚部３ａ，３ｂは、その軸方向（代表的には巻回部２ａ，２ｂの軸方向に実質的に同軸）に直交する平面で切断した横断面形状（ここでは、内脚片３αａ，３αｂ，３βａ，３βｂの端面形状に等しい）が巻回部２ａ，２ｂの内周形状に対応した形状である直方体状である。内側脚部３ａ，３ｂの形状、大きさは、その横断面積が所定の磁路面積を有すれば、巻回部２ａ，２ｂの形状、大きさに応じて適宜選択できる。この例のように内側脚部３ａ，３ｂの外周形状と、巻回部２ａ，２ｂの内周形状とが相似状であると、磁性コア３とコイル２Ａとを近付けて組み付け易く、小型にできる。
【００５２】
この例の中央脚部３１は、図２から図４に示すように直方体状であり、その軸方向（代表的には巻回部２ａ，２ｂの軸方向に実質的に平行）に直交する平面で切断した横断面形状（ここでは、中央脚片３１α、３１βの端面形状に等しい）が長方形状である。中央脚部３１は、所定の磁路断面積を有するように、その大きさ（横断面積など）を調整している。中央脚部３１の磁路断面積は、例えば、一つの内側脚部（３ａ又は３ｂ）の横断面積の５０％以上、更に６０％以上、７０％以上であると、磁路として機能できると期待される。この例では、中央脚部３１の横断面積は、一つの内側脚部（３ａ又は３ｂ）の横断面積に実質的に等しい。中央脚部３１の幅Ｗ３１及び長さＬ３１はそれぞれ、内側脚部３ａ，３ｂの幅及び長さＬ３ａ，Ｌ３ｂに実質的に等しい。
【００５３】
この例の外側脚部３２，３３は、図２から図４に示すように同一形状、同一の大きさである。また、この例の外側脚部３２，３３は、その軸方向（代表的には巻回部２ａ，２ｂの軸方向に実質的に平行）に直交する平面で切断した横断面形状（ここでは、外脚片３２α，３２β，３３α，３３βの端面形状に等しい）が長方形である。外側脚部３２，３３の形状、大きさは、各横断面積が所定の磁路面積を有すれば、巻回部２ａ，２ｂの形状、大きさなどに応じて適宜選択できる。この例では、各外側脚部３２，３３の横断面積は、一つの内側脚部（３ａ又は３ｂ）の横断面積の実質的に半分に等しい。また、この例では、各外側脚部３２，３３の幅は一つの内側脚部の幅よりも小さく、外側脚部３２，３３の長さＬ３２，Ｌ３３は、内側脚部３ａ，３ｂの長さＬ３ａ，Ｌ３ｂよりも長い。そのため、両外側脚部３２，３３における長さ方向の両側は、内側脚部３ａ，３ｂ及び中央脚部３１の脚部群よりも突出している。
【００５４】
この例の連結部３４，３５は、同一形状、同一の大きさの薄い直方体状であり、一面を設置対象の載置面に配置される設置面（図１，図３では連結部３５の下面）とする。また、連結部３４，３５は、互いに離間して横並びされる脚部群、即ち外側脚部３２、内側脚部３ａ、中央脚部３１、内側脚部３ｂ、外側脚部３３を挟むことが可能な幅Ｗ３４，Ｗ３５及び長さＬ３４，Ｌ３５を有する。この例では、図２，図４に示すように連結部３４，３５の幅方向及び長さ方向の中央部に中央脚部３１が設けられ、中央脚部３１の両側に、内側脚部３ａ及び外側脚部３２の組、内側脚部３ｂ及び外側脚部３３の組が設けられている。また、この例では、幅方向の中央部に台形状に切り欠いた切欠部３８が設けられており、長さが部分的に異なる箇所を有する。連結部３４，３５の幅方向の両縁が各外側脚部３２，３３の幅方向の両側に位置する側面の縁に一致し、連結部３４，３５における幅方向の両側の長さＬ３４，Ｌ３５は、外側脚部３２，３３の長さＬ３２，Ｌ３３に等しい。一方、連結部３４，３５における幅方向の中央部、即ち中央脚部３１が設けられた領域の長さは、上述の切欠部３８が設けられることで、内側脚部３ａ，３ｂの長さＬ３ａ，Ｌ３ｂに等しい。連結部３４，３５において、各内側脚部３ａ，３ｂの長さ方向の両側に設けられる領域はそれぞれ、巻回部２ａ，２ｂの配置箇所に利用する（図２）。この領域の合計長さは、上述の長さＬ３４，Ｌ３５と長さＬ３ａ，Ｌ３ｂとの差に相当する。
【００５５】
この例の磁性コア３は、各内側脚部３ａ，３ｂと中央脚部３１間、隣り合う内側脚部と外側脚部間（３ａ，３２），（３ｂ，３３）にそれぞれ、図２に示すように、直線的な隙間が設けられる。これらの隙間の幅Ｗｃ，Ｗｓがいずれも、巻回部２ａ，２ｂの幅よりも若干大きくなるように、連結部３４，３５の幅Ｗ３４，Ｗ３５を調整している。こうすることで、コイル２Ａと磁性コア３間の絶縁性を高められると共に、コイル２Ａと分割コア片３α，３βとを組み付け易い。
【００５６】
また、この例の磁性コア３は、コイル２Ａが組み付けられた場合に巻回部２ａ，２ｂにおける外周面のうち、長さ方向の両側に配置される面（図２では上下の面）が磁性コア３Ａに覆われず露出され（図１，図３）、その他の領域が磁性コア３に概ね覆われるように連結部３４，３５の長さＬ３４，Ｌ３５を調整している。ここでは、巻回部２ａ，２ｂにおける磁性コア３からの露出箇所が、連結部３４，３５における長さ方向の両側に配置される端面（図２では上下面）と実質的に面一になるように、長さＬ３４，Ｌ３５，及び長さＬ３ａ，Ｌ３ｂ，Ｌ３１を調整している。巻回部２ａ，２ｂの露出箇所は、例えば、リアクトル１Ａの使用時に放熱面として利用できる。
【００５７】
（用途）
実施形態１のリアクトル１Ａは、ハイブリッド自動車、プラグインハイブリッド自動車、電気自動車、燃料電池自動車などの車両に搭載される車載用コンバータ（代表的にはＤＣ−ＤＣコンバータ）や空調機のコンバータなどの種々のコンバータ、電力変換装置の構成部品に利用できる。特に、実施形態１のリアクトル１Ａは、大きなインダクタンスが求められ、ターン数が比較的多い上に低背化が望まれる場合に好適に利用できる。実施形態の磁性コア３は、リアクトル１Ａなどの構成要素に利用できる。
【００５８】
（主要な効果）
実施形態１のリアクトル１Ａは、コイル２Ａの総ターン数が比較的多くても、巻回部２ａ，２ｂに分けた順磁束コイルとするため、コイル２Ａの軸長さを総ターン数が同じ単一コイルよりも短くできる。このような順磁束コイルと特定の形状の磁性コア３とを備えるリアクトル１Ａを縦置きに配置すれば、設置高さを低くできる。この点から、実施形態１のリアクトル１Ａは、小型である。コイル２Ａの接続部２ｊＡを上述のように折り曲げるなどして、コイル２Ａにおける磁性コア３からの突出量をより小さくすれば、リアクトル１Ａの設置高さを更に小さくできる。実施形態のリアクトル用磁性コア３は、例えば、上記順磁束コイルを備え、縦置き形態とするリアクトル１Ａに利用すると、低背化に寄与する。
【００５９】
また、実施形態１のリアクトル１Ａは、内側脚部３ａ，３ｂ及び外側脚部３２，３３に加えて、中央脚部３１を有する磁性コア３を備えるため、各巻回部２ａ，２ｂからの磁束が磁性コア３外に漏れ難い。従って、実施形態１のリアクトル１Ａは、低損失である。実施形態のリアクトル用磁性コア３は、例えば、上記順磁束コイルを備えるリアクトル１Ａに利用すると、漏れ磁束を低減でき、損失の低減に寄与する。
【００６０】
その他、この例のリアクトル１Ａは、以下の効果を奏する。
（１）巻回部２ａ，２ｂの外周面と磁性コア３の外表面とが面一である部分を有して、コイル２Ａにおいて磁性コア３から突出する箇所が少ない。ここでは、上記突出箇所が、実質的に巻線２ｗの両端部及び接続部２ｊＡの一部のみであり、リアクトル１Ａの設置面積は、磁性コア３の設置面（連結部３５の下面）の面積に実質的に等しい。設置面積が小さい点からも小型である。
（２）巻回部２ａ，２ｂにおいて磁性コア３に覆われない露出箇所を含むため、放熱性を高められる。
（３）磁性コア３が巻回部２ａ，２ｂの配置箇所を有するため、コイル２Ａと磁性コア３とを容易に位置決めできる上に、磁性コア３が一組の分割コア片３α，３βの組物であるため、コイル２Ａと磁性コア３とを容易に組み付けられる。そのため、リアクトル１Ａの製造性に優れる。
（４）磁性コア３が同一形状の分割コア片３α，３βの組物である上に、各分割コア片３α，３βは対称形状であり、単純な形状であるため、磁性コア３の製造性に優れる。
（５）磁性コア３が切欠部３８を備えることで、磁性コア３の軽量化、ひいてはリアクトル１Ａの軽量化を図ることができる。なお、切欠部３８の形成箇所は、巻回部２ａ，２ｂからの磁束がそれほど通過しない箇所であるため、除去しても、所定の磁路面積を確保できる。
【００６１】
以下、図５，図６を参照して、コイル２Ａの接続部２ｊＡの別例を説明する。
図５に示す実施形態２のリアクトル１Ｂ、図６に示す実施形態３のリアクトル１Ｃの基本的構成は、上述の実施形態１のリアクトル１Ａと同様である。各リアクトル１Ｂ，１Ｃに備えるコイル２Ｂ，２Ｃの接続部２ｊＢ，２ｊＣの構造が接続部２ｊＡとは異なる。
以下、接続部２ｊＢ，２ｊＣを詳細に説明し、その他の構成及び効果は詳細な説明を省略する。
【００６２】
［実施形態２］
実施形態２のリアクトル１Ｂに備えるコイル２Ｂは、２本の巻線２ｗａ，２ｗｂで構成されている点で、上述のコイル２Ａとは異なる。コイル２Ｂに備える各巻回部２ａ，２ｂは、異なる巻線２ｗａ，２ｗｂから構成される。コイル２Ｂは、両巻線２ｗａ，２ｗｂの端部を電気的に接続する接続部２ｊＢを備える。
【００６３】
各巻回部２ａ，２ｂを構成する巻線２ｗａ，２ｗｂの一端部をそれぞれ、外部装置との接続箇所とし、他端部を接続部２ｊＢの形成箇所とする。この例では、一方の巻線２ｗａの他端部は、上方に向かって延設される部分と、他方の巻回部２ｂに向かって延設される部分と、両部分を形成するために折り返した部分とを有し、逆Ｌ字状に形成されている。他方の巻線２ｗｂの他端部は、一端部と同様に上方に向かって延設される部分を有する。接続部２ｊＢは、巻線２ｗａ，２ｗｂの他端部の先端同士を接合する部分を含む。この接合には、溶接（ＴＩＧ溶接、レーザ溶接、抵抗溶接など）、圧着、冷間圧接、振動溶着などの直接接合、半田、ロウ材などを用いた間接接合のいずれも利用できる。また、この接合は、コイル２Ｂと磁性コア３との組付前後のいずれにも行える。例えば、コイル２Ｂと一方の分割コア片との組み付け後などに上述の接合を行える。
【００６４】
実施形態２のリアクトル１Ｂは、実施形態１のリアクトル１Ａと同様に、コイル２Ｂを順磁束コイルとし、かつ特定の形状の磁性コア３を備えるため、縦置きした場合に設置高さを低くできる。また、このリアクトル１Ｂは、磁性コア３によって漏れ磁束を低減でき、低損失である。特に、実施形態２のリアクトル１Ｂは、巻回部２ａ，２ｂをそれぞれ異なる巻線２ｗａ，２ｗｂで構成するため、各巻回部２ａ，２ｂを形成し易く、コイル２Ｂの製造性にも優れる。隣り合う巻回部が存在しない状態で、巻線２ｗａ，２ｗｂの他端部の折り曲げや折り返しを行えて、接続部２ｊＢを形成し易いことからも、コイル２Ｂの製造性に優れる。その他、接続部２ｊＢを構成する巻線２ｗａ，２ｗｂの他端部の長さを調整することで、巻回部２ａ，２ｂ間の間隔を高精度に調整できる上に、組み付ける磁性コア３の寸法（製造誤差を含む）に対応した調整も可能であり、寸法精度に優れるリアクトル１Ｂとすることができる。
【００６５】
［実施形態３］
実施形態３のリアクトル１Ｃに備えるコイル２Ｃは、接続部２ｊＣが磁性コア３から突出していない点で、上述のコイル２Ａとは異なる。この例の接続部２ｊＣは、一方の巻回部２ａにおける下側の端面から他方の巻回部２ｂにおける上側の端面に渡るようにＳ字状に折り曲げられた部分を有する。接続部２ｊＣの高さは、巻回部２ａ，２ｂの高さＨ２に実質的に等しい。
【００６６】
実施形態３のリアクトル１Ｃは、実施形態１のリアクトル１Ａと同様に、コイル２Ｃを順磁束コイルとし、かつ特定の形状の磁性コア３を備えるため、縦置きした場合に設置高さを低くできる。また、このリアクトル１Ｃは、磁性コア３によって漏れ磁束を低減でき、低損失である。特に、実施形態３のリアクトル１Ｃでは、その高さ方向において、接続部２ｊＣが巻回部２ａ，２ｂ及び磁性コア３の双方から実質的に突出しないため、設置高さがより低い。このように接続部２ｊＣの形成位置、形状などを調整することで、設置高さがより低いリアクトル１Ｃを構築できる。上述の実施形態２で説明した巻線２ｗａ，２ｗｂの他端部において、折り曲げ位置や延長部分の長さなどを調整すれば、リアクトル１Ｂの高さ方向において、磁性コア３から突出しない接続部２ｊＢとすることができる。
【００６７】
［実施形態４］
実施形態１から３では、コイル２Ａから２Ｃがいずれも順磁束コイルである場合を説明した。順磁束コイルに代えて、コイル２Ａなどに通電した際に各巻回部２ａ，２ｂを貫通する磁束の向きが逆になる逆磁束コイルにすることができる。実施形態１，３のように１本の巻線２ｗで逆磁束コイルを構成する場合、各巻回部２ａ，２ｂを貫通する磁束の向きが逆になるように、巻線２ｗにおける両巻回部２ａ，２ｂを接続する部分を折り返すことが挙げられる（特許文献１の図１など参照）。実施形態２のように２本の巻線２ｗａ，２ｗｂによって逆磁束コイルを構成する場合、各巻回部２ａ，２ｂの巻き方向を同じとし、各巻回部２ａ，２ｂを貫通する磁束の向きが逆になるように、一方の巻線の他端部を折り返して、両他端部同士を接合するとよい。その他、公知である種々の形状の逆磁束コイルを適用できる。
【００６８】
逆磁束コイルを備える実施形態４のリアクトルは、特に、内側脚部３ａ，３ｂ及び外側脚部３２，３３に加えて、中央脚部３１を有する磁性コア３を備えるため、各巻回部２ａ，２ｂからの磁束を中央脚部３１に流すことができる。そのため、使用電流値が大きくなっても、磁束飽和が生じ難く、インダクタンスが低下し難い。
【００６９】
［変形例］
上述の実施形態１から４に対して、以下の少なくとも一つの変更や追加が可能である。
（１）温度センサ、電流センサ、電圧センサ、磁束センサなどのリアクトルの物理量を測定するセンサ（図示せず）を備える。
（２）巻回部２ａ，２ｂの露出箇所に放熱板を備える。
（３）樹脂モールド部に代えて、ボビンなどの絶縁介在部材を備える。
（４）樹脂モールド部に代えて、又は樹脂モールド部の具備に加えて、巻回部２ａ，２ｂを構成する隣り合うターン同士を接合する熱融着樹脂部（図示せず）を備える。
（５）コイル２Ａなどと磁性コア３とを含む組物を収納するケース（例、アルミニウムやアルミニウム合金などの金属）を備える。更に、組物とケースの内底面間に放熱層を備える。放熱層の具体的な材料は、放熱性に優れるフィラー（アルミナなどの非磁性かつ非金属粉末）と樹脂（接着剤でもよい）とを含むものが挙げられる。
【００７０】
本発明は、これらの例示に限定されるものではなく、特許請求の範囲によって示され、特許請求の範囲と均等の意味及び範囲内での全ての変更が含まれることが意図される。
例えば、横置き形態とすることができる。この場合、巻回部２ａ，２ｂの露出箇所を設置面とする形態、一方の外側脚部を設置面とする形態などとすることができる。
【符号の説明】
【００７１】
１Ａ，１Ｂ，１Ｃ  リアクトル
２Ａ，２Ｂ，２Ｃ  コイル
２ａ，２ｂ  巻回部
２ｊＡ，２ｊＢ，２ｊＣ  接続部
２ｗ，２ｗａ，２ｗｂ  巻線
３  磁性コア
３α，３β  分割コア片
３ａ，３ｂ  内側脚部
３１  中央脚部
３２，３３  外側脚部
３４，３５  連結部
３αａ，３βａ，３αｂ，３βｂ  内脚片
３１α，３１β  中央脚片
３２α，３２β，３３α，３３β  外脚片
３８  切欠部
【図１】
2018049948.tif 000003
【図２】
2018049948.tif 000004
【図３】
2018049948.tif 000005
【図４】
2018049948.tif 000006
【図５】
2018049948.tif 000007
【図６】
2018049948.tif 000008